(57)【要約】【課題】  主ケーブルに対して分岐ケーブルを簡便に分岐接続できるようにする。【解決手段】  圧着端子１０が、ケーブルを接続可能な芯線圧着片１３および被覆圧着片１４を有する基底部１２と、コンタクト部２０とを連結部１１を介して一体に有して構成され、コンタクト部２０が、基底部１２に対して左側に略直交する方向に延びる左側雌嵌合接続部２１と、基底部１２に対して右側に略直交する方向に延びる右側雌嵌合接続部２５と、左側雌嵌合接続部２１の左端側に左側雌嵌合接続部２１に一体に繋がって設けられた左側雄嵌合接続部２８と、右側雌嵌合接続部２５の右端側に右側雌嵌合接続部２５に一体に繋がって設けられた右側雄嵌合接続部２９とから構成され、圧着端子３０の左側雄嵌合接続部３８を圧着端子１０の左側雌嵌合接続部２４に基底部１２に対して略直交する方向に嵌合させて圧着端子１０および圧着端子３０を接続するように構成される。【選択図】  図４
2007087809.tif 000002
【特許請求の範囲】
【請求項１】
ケーブルを接続可能なケーブル接続部と、端子接続部とを一体に有して構成される接続端子であって、
前記端子接続部が、前記ケーブル接続部に繋がり前記ケーブル接続部に対して左側に略直交する方向に延びる左側雌嵌合接続部と、前記ケーブル接続部に繋がり前記ケーブル接続部に対して右側に略直交する方向に延びる右側雌嵌合接続部と、前記左側雌嵌合接続部の左端側に前記左側雌嵌合接続部に一体に繋がって設けられた左側雄嵌合接続部と、前記右側雌嵌合接続部の右端側に前記右側雌嵌合接続部に一体に繋がって設けられた右側雄嵌合接続部とから構成され、
２個の前記接続端子における一方の前記接続端子の前記左側もしくは右側雄嵌合接続部を他方の前記接続端子の前記左側もしくは右側雌嵌合接続部に前記ケーブル接続部に対して略直交する方向に嵌合接続させて前記２個の接続端子を接続するように構成されたことを特徴とする接続端子。
【請求項２】
前記左側雌嵌合接続部および前記右側雌嵌合接続部が前記ケーブル接続部に一体に繋がる平板状の部材の前後両端側に先端が前記平板状の部材に向くように折り返し形成された一対の挟持片を各々有して構成され、
前記左側雄嵌合接続部および前記右側雄嵌合接続部が各々前記平板状の部材に平板状に一体形成され、
前記左側雌嵌合接続部の前記一対の挟持片および前記平板状の部材が前記左側雌嵌合接続部の前記平板状の部材に重なる前記他方の接続端子のうちの第１の接続端子の前記雄嵌合接続部を前記左側雌嵌合接続部の前記一対の挟持片の弾性的な付勢により挟持した状態で前記第１の接続端子と接続され、
前記右側雌嵌合接続部の前記一対の挟持片および前記平板状の部材が前記右側雌嵌合接続部の前記平板状の部材に重なる前記他方の接続端子のうちの第２の接続端子の前記雄嵌合接続部を前記右側雌嵌合接続部の前記一対の挟持片の弾性的な付勢により挟持した状態で前記第２の接続端子と接続されることを特徴とする請求項１に記載の接続端子。
【発明の詳細な説明】
【技術分野】
【０００１】
本発明は、ケーブルを圧着する接続端子に関し、より詳細には、本線ケーブル（主ケーブル）に対して分岐ケーブルを電気的に分岐接続するための接続端子に関する。
【背景技術】
【０００２】
従来、自動車等に配設されるワイヤハーネスには幹線から支線が分岐している箇所が多数存在する。図６にその一例として自動車のインストルメントパネルの内部を示しており、同図に示すように、インストルメントパネル内部には、車載バッテリ等電源に繋がる主線ワイヤハーネス５０１が配設され、主線ワイヤハーネス５０１からは速度計等の計器類のメータ５０３に向けて分岐ワイヤハーネス５０２が分岐されている。主線ワイヤハーネス５０１から分岐された分岐ワイヤハーネス５０２は、メータ５０３の裏面側にコネクタ等により接続される。そして、主線ワイヤハーネス５０１とワイヤハーネス５０２との分岐位置においては、特許文献１にも記載があるように、この分岐位置がずれないように電線群に結束テープ５０４を巻き付けて結束している。
【特許文献１】特開２００５−０２７４６３号公報
【発明の開示】
【発明が解決しようとする課題】
【０００３】
上記のような分岐位置におけるテープの巻き付け作業は熟練を要し、作業者の熟練度合いによって巻き具合にバラツキが発生しやすく、また、ワイヤハーネスの分岐位置の数が多ければ作業時間が掛かるといった問題がある。これは、分岐位置にて主線の絶縁被覆を露出させ、この位置にて分岐線を主線に溶接するような方法により分岐接続するような方法でも同様であり、溶接するために露出した部分に短絡を防止する目的で絶縁性の結束テープを巻いて再度分岐位置近傍を被覆し直さなければならないため、非常に面倒である。さらに、被覆内部の導線同士を溶接する場合には溶接機を用いるため、設備が大型化し、熟練を要する。このように、主線ワイヤハーネスから多くの分岐ワイヤハーネスを分岐接続する場合に、その作業が煩わしい、といった課題があった。
【０００４】
以上のような問題に鑑みて、本発明では、主線ワイヤハーネスから分岐ワイヤハーネスを引き出して分岐させる場合、分岐位置において結束テープで結束する従来の作業工程を省き、簡便に分岐接続をできるようにした接続端子を提供することを目的とする。
【課題を解決するための手段】
【０００５】
前記課題を解決するために本発明に係る接続端子は、ケーブルを接続可能なケーブル接続部（例えば、実施形態における基底部１２、芯線圧着片１３および被覆圧着片１４）と、端子接続部（例えば、実施形態におけるコンタクト部２０）とを一体に有して構成され、端子接続部が、ケーブル接続部に繋がりケーブル接続部に対して左側に略直交する方向に延びる左側雌嵌合接続部（例えば、実施形態における左側雌基板部２４、第１の挟持部２２および第２の挟持部２３）と、ケーブル接続部に繋がりケーブル接続部に対して右側に略直交する方向に延びる右側雌嵌合接続部（例えば、実施形態における右側雌基板部２７、第１の挟持部２２および第２の挟持部２４）と、左側雌嵌合接続部の左端側に左側雌嵌合接続部に一体に繋がって設けられた左側雄嵌合接続部（例えば、実施形態における左側雄嵌合接続部２８）と、右側雌嵌合接続部の右端側に右側雌嵌合接続部に一体に繋がって設けられた右側雄嵌合接続部（例えば、実施形態における右側雄嵌合接続部２９）とから構成され、２個の接続端子における一方の接続端子（例えば、実施形態における圧着端子１０）の左側もしくは右側雄嵌合接続部を他方の接続端子（例えば、実施形態における圧着端子４０）の左側もしくは右側雌嵌合接続部にケーブル接続部に対して略直交する方向に嵌合接続させて２個の接続端子を接続するように構成される。
【０００６】
また、上記構成の接続端子において、前記左側雌嵌合接続部および前記右側雌嵌合接続部が前記ケーブル接続部に一体に繋がる平板状の部材の前後両端側に先端が前記平板状の部材に向くように折り返し形成された一対の挟持片（例えば、実施形態における第１の挟持部２２および第２の挟持部２３）を各々有して構成され、左側雄嵌合接続部および前記右側雄嵌合接続部が各々前記平板状の部材に平板状に一体形成され、左側雌嵌合接続部の前記一対の挟持片および前記平板状の部材が前記左側雌嵌合接続部の前記平板状の部材に重なる前記他方の接続端子のうちの第１の接続端子（例えば、実施形態における圧着端子３０）の前記雄嵌合接続部を前記左側雌嵌合接続部の前記一対の挟持片の弾性的な付勢により挟持した状態で前記第１の接続端子と接続され、右側雌嵌合接続部の前記一対の挟持片および前記平板状の部材が前記右側雌嵌合接続部の前記平板状の部材に重なる前記他方の接続端子のうちの第２の接続端子の前記雄嵌合接続部を前記右側雌嵌合接続部の前記一対の挟持片の弾性的な付勢により挟持した状態で前記第２の接続端子と接続されるのが好ましい。
【発明の効果】
【０００７】
本発明に関する接続端子によれば、２個の接続端子における一方の接続端子の雌嵌合接続部の平板状の部材に重なる他方の接続端子の雄嵌合接続部を弾性的な付勢により挟持した状態でこれら２個の接続端子が接続される。このとき、一方の接続端子に圧着された一方のケーブルおよび他方の接続端子に圧着された他方のケーブルが互いに接続されたこれら２個の接続端子を介して導通される。このような構成の接続端子を端部に圧着したケーブルを複数用意すれば、例えば、主ケーブルに対して一対の分岐ケーブルを分岐接続させたい所望の位置において、分岐ケーブルを圧着した接続端子の雄嵌合接続部を主ケーブルを圧着した接続端子の雌嵌合接続部によって挟持させるといった簡単な作業だけで、主ケーブルと一対の分岐ケーブルとをこれらの接続端子を介して分岐接続させることが可能である。このため、ケーブルの絶縁被覆を取り除いて導体同士を溶接するといった煩わしい作業を行うことなく簡便に分岐接続させることができる。
【０００８】
また、接続端子同士を直列に複数連結させることも可能であり、連結された複数の他方の接続端子のうちの少なくとも１つの他方の接続端子と一方の接続端子とを上記のようにして嵌合接続させるようにすれば、一方の接続端子に圧着された１本の主ケーブルに対して他方の接続端子に圧着された複数の分岐ケーブルを蛸足状に分岐接続させることが可能である。そして、このような多数の分岐ケーブルの分岐接続は接続端子同士を嵌合接続させるだけでよいために短時間ですることができて、煩わしい作業工程を省くことが可能である。
【発明を実施するための最良の形態】
【０００９】
ここで、本発明に係る接続端子の好ましい実施形態について、図１から図５を参照しながら詳細に説明する。なお、以下では接続端子としてケーブルを圧着接続する圧着端子を例に説明するが、本発明に係る接続端子は圧着端子に限られず、例えばケーブルを圧接接続する圧接端子であってもよい。
【実施例１】
【００１０】
ここでは、まず上記圧着端子の第１の実施の形態について説明する。図１に本実施の形態に係る圧着端子１０と、この圧着端子１０に圧着接続されるケーブル１００（被覆電線）とを示している。図に示されている圧着端子１０は先端にコンタクト部２０を有するものであり、この圧着端子１０が同一形状の相手端子と接続される。
【００１１】
圧着端子１０は、前方に突出する平板状のタブコンタクトで構成されるコンタクト部２０と、このコンタクト部２０の後端に連結部１１を介して繋がって後方に延びる板状の基底部１２と、この基底部１２の前部における左右側端から上方に突出した左右一対の芯線圧着片１３，１３と、基底部１２の後部における左右側端から上方に突出した左右一対の被覆圧着片１４，１４と、基底部１２を構成し芯線圧着片１３，１３および被覆圧着片１４，１４の間を繋いで形成され傾斜する連結部１６とを備えて、導電性を有する金属板材を打抜加工および折曲加工されて一体成形される。
【００１２】
上記ような構成において、連結部１６は芯線圧着片１３，１３および被覆圧着片１４，１４の間を繋いで補強する役割を果たす。また、このような構成の圧着端子１０に圧着接続されるケーブル１００は、複数の素線を束ねてなる芯線１０１と、この芯線１０１を覆うＰＶＣ（Polyvinyl Chloride; 塩化ポリビニル）等からなる絶縁性を有した被覆１０２とから構成されている。
【００１３】
圧着端子１０は、図１に示すように、先端部において被覆１０２が剥がされて露出した芯線１０１を芯線圧着片１３，１３が左右から包み込んで挟持し、その後部においてケーブル１００の被覆１０２を被覆圧着片１４，１４が左右から包み込んで挟持して、ケーブル１００の先端部に取り付けられる。この取付は、圧着工具を用いて芯線圧着片１３，１３および被覆圧着片１４，１４をそれぞれ図示のように内側に折り曲げ加工されて行われる。
【００１４】
このようにしてケーブル１００の先端に圧着されて取り付けられた圧着端子１０は、そのコンタクト部２０を相手端子に接続して電気接続を行うようになっている。
【００１５】
コンタクト部２０は、基底部１２に連結される部分である連結部１１を介して基底部１２に繋がり基底部１２に対して左側に略直交する方向に延びる左側雌嵌合接続部２１と、連結部１１に繋がり基底部１２に対して右側に略直交する方向に延びる右側雌嵌合接続部２５と、左側雌嵌合接続部２１の左端側に左側雌嵌合接続部２１に一体に繋がって設けられた左側雄嵌合接続部２８と、右側雌嵌合接続部２５の右端側に右側雌嵌合接続部２５に一体に繋がって設けられた右側雄嵌合接続部２９とから構成される。このように、圧着端子１０は全体として平面視略Ｔ字状の形状になっている。
【００１６】
左側雌嵌合接続部２１は、連結部１１に一体に繋がり左右を長手方向とする平面視矩形平板状の左側雌基板部２４と、左側雌基板部２４の前後両端側から上方に湾曲し先端側が左側雌基板部２４の側に向くように折り返し形成された略Ｕ字状の複数の挟持部２２，２３とを有して構成される。一方、右側雌嵌合接続部２５は、連結部１１に一体に繋がり左右を長手方向とする平面視矩形平板状の右側雌基板部２７と、右側雌基板部２７の前後両端側から上方に湾曲し先端側が右側雌基板部２７の側に向くように折り返し形成された略Ｕ字状の複数の挟持部２２，２６とを有して構成される。
【００１７】
左側雌嵌合接続部２１を構成する左側雌基板部２４と右側雌嵌合接続部２５を構成する右側雌基板部２７とは、左右に一体形成されて左右を長手方向とする一枚の板部材で構成される。また、挟持部２２は上記一体形成された一枚の板部材の端部に左右に亘って形成されている。すなわち、挟持部２２の一部（左側）と挟持部２３とは、いずれも左側雌基板部２４の縁部に沿って延びるように形成されて左側雌嵌合接続部２１を構成し、挟持部２２の一部（右側）と挟持部２６とは、いずれも右側雌基板部２７の縁部に沿って延びるように形成されて、右側雌嵌合接続部２５を構成している。
【００１８】
そして、これら複数の挟持部２２，２３，２６のうち、第１の挟持部２２が左側雌基板部２４および右側雌基板部２７の前側縁部に沿うように形成され、第２の挟持部２３が左側雌基板部２４の後側縁部に沿うように形成され、さらに、第３の挟持部２６が右側雌基板部２７の後側縁部に沿うように形成されている。
【００１９】
図１に示すように、第１の挟持部２２は、左側雌基板部２４および右側雌基板部２７を挟んで第２の挟持部２３および第３の挟持部２６と対向している。そして、第１の挟持部２２は基端側を左側雌基板部２４および右側雌基板部２７の縁部として先端側が左側雌基板部２４および右側雌基板部２７の前後方向の略中部に向くように折り返し形成され、第２の挟持部２３は、基端側を左側雌基板部２４の縁部として先端側が左側雌基板部２４の前後方向の略中部に向くように折り返し形成され、第３の挟持部２６は、基端側を右側雌基板部２７の縁部として先端側が右側雌基板部２７の前後方向の略中部に向くように折り返し形成されている。このようにして折り曲げられた挟持部２２，２３，２６は、図２（ｄ）に示すように、いずれも側面視で逆Ｕ字状の形状になっている。
【００２０】
また、左側雄嵌合接続部２８は、左側雌嵌合接続部２１の左側雌基板部２４に左右に延びて一体形成された平板状の部材で構成され、右側雄嵌合接続部２９は、右側雌嵌合接続部２５の右側雌基板部２７に左右に延びて一体形成された平板状の部材で構成される。すなわち、左側雄嵌合接続部２８と、左側雌嵌合接続部２１の左側雌基板部２４と、右側雌嵌合接続部２５の右側雌基板部２７と、右側雄嵌合接続部２９とで、連結部１１に繋がる一体化した平板状の基板部材を構成している。
【００２１】
このように構成される圧着端子１０は、圧着端子１０と同様に第１の挟持部３２、第２の挟持部３３、左側雌基板部３４、第３の挟持部３６、右側雌基板部３７、左側雄嵌合接続部３８および右側雄嵌合接続部３９を有して構成される一方の相手端子である圧着端子３０に接続される。圧着端子１０の左側雌嵌合接続部２１には圧着端子３０の左側雄嵌合接続部３８を嵌入することが可能であり、圧着端子３０の左側雄嵌合接続部３８が左側雌基板部２４に重なるようにして嵌入されると、左側雌基板部２４に重ねられた圧着端子３０の左側雄嵌合接続部３８はその上面が圧着端子１０の挟持部２２先端の挟持面２２ａおよび挟持部２３先端の挟持面２３ａに当接し、挟持部２２，２３の弾性的な付勢により挟持部２２，２３と左側雌基板部２４とにより挟持される。このような状態で、圧着端子１０と圧着端子３０とが接続される。
【００２２】
一方、圧着端子１０は、圧着端子１０と同様に第１の挟持部４２、第２の挟持部４３、左側雌嵌合部４４、第３の挟持部４６、右側雌基板部４７、左側雄嵌合接続部４８および右側雄嵌合接続部４９を有して構成される他方の相手端子である圧着端子４０に接続される。圧着端子４０の左側雌嵌合接続部４４には圧着端子１０の右側雄嵌合接続部２９を嵌入することが可能であり、圧着端子１０の右側雄嵌合接続部２９が左側雌基板部４４に重なるようにして嵌入されると、左側雌基板部４４に重ねられた圧着端子１０の右側雄嵌合接続部２９はその上面が相手端子である圧着端子４０の挟持部４２先端の挟持面４２ａおよび挟持部４３先端の挟持面４３ａに当接し、この挟持部４２，４３の弾性的な付勢により挟持部４２，４３と圧着端子４０の基板部４４とにより挟持された状態で圧着端子４０と接続される。
【００２３】
なお、図４に示すような、圧着端子１０の左側雌基板部２４の上に圧着端子３０の左側雄嵌合接続部３８を重ねて、圧着端子４０の左側雌基板部４４の上に圧着端子１０の右側雄嵌合接続部２９を重ねるような接続の方法に限られず、例えば、圧着端子１０の左側雌基板部２４に圧着端子３０の右側雄嵌合接続部３９を重ねて、圧着端子１０の右側雌基板部２７に圧着端子４０の左側雄嵌合接続部４８を重ねるようにしてもよい。このような場合、圧着端子１０の第１の挟持部２２および第２の挟持部２３並びに左側雌基板部２４が圧着端子３０を挟持し、圧着端子１０の第１の挟持部２２および第３の挟持部２６並びに右側雌基板部２７が圧着端子４０を挟持することになる。
【００２４】
また、図４では、圧着端子１０の左右両側に相手端子として圧着端子３０および圧着端子４０を接続した例を図示しているが、圧着端子３０にさらに別の圧着端子を矢印Ａ方向に接続し、圧着端子４０にさらに別の圧着端子を矢印Ｂ方向に接続させることにより、圧着端子１０，３０，４０の各基板部の長手方向に複数の圧着端子を直列に連結させることが可能である。このとき、圧着端子と相手端子である圧着端子との取付方向によってケーブルを延ばす方向を変えることができる。
【００２５】
さらに、図４では、３個の圧着端子１０，３０，４０を使用することにより、圧着端子３０に圧着された主ケーブル３００に対して圧着端子１０および圧着端子４０に各々圧着された分岐ケーブル１００，４００を分岐させるような構成であるが、例えば圧着端子３０に圧着端子１０および圧着端子４０のほか、さらに複数の圧着端子を直列に連結させれば、主ケーブル３００に対して、連結された圧着端子の数だけ複数本の分岐ケーブルを分岐させることが可能である。
【実施例２】
【００２６】
次に、圧着端子の第２の実施の形態について図５を用いて説明する。本実施の形態に係る圧着端子１０´の基底部１２、芯線圧着片１３および被覆圧着片１４は、いずれも上記実施例１で説明した圧着端子１０のそれらと同一の形状であるため、ここでは圧着端子１０のコンタクト部２０と形状の異なるコンタクト部５０を中心に説明する。
【００２７】
コンタクト部５０は基底部１２に連結される部分である連結部１１を介して基底部１２に繋がり基底部１２に対して左側に略直交する方向に延びる左側雌嵌合接続部５１と、連結部１１に繋がり基底部１２に対して右側に略直交する方向に延びる右側雌嵌合接続部５２と、左側雌嵌合接続部５１の左端側に左側雌嵌合接続部５１に一体に繋がって設けられた左側雄嵌合接続部５８と、右側雌嵌合接続部５２の右端側に右側雌嵌合接続部５２に一体に繋がって設けられた右側雄嵌合接続部５９とから構成される。
【００２８】
左側雌嵌合接続部５１は、相手端子を受容する嵌合空間５５が内部に形成された断面略矩形状の筒状からなり、その左端側と右端側に略矩形状の開口５７，５７が形成され、左側雌嵌合接続部５１の上部内壁面であって左右の両端部近傍からは、嵌合空間５５内に下方に湾曲し上下方向に弾性変位可能な板状の付勢部５６が延びている。
【００２９】
同様に、右側雌嵌合接続部５２は、相手端子を受容する嵌合空間５５が内部に形成された断面略矩形状の筒状からなり、その左端側と右端側に略矩形状の開口５７，５７が形成され、右側雌嵌合接続部５２の上部内壁面であって左右の両端部近傍からは、嵌合空間５５内に下方に湾曲し上下方向に弾性変位可能な板状の付勢部５６が延びている。
【００３０】
また、左側雄嵌合接続部５８は、左側雌嵌合接続部５１の左側端部から左方に延びて一体形成された平板状の部材で構成され、右側雄嵌合接続部５９は、右側雌嵌合接続部５２の右側端部から右方に延びて一体形成された平板状の部材で構成される。このようにして、圧着端子１０´は、左側雄嵌合接続部５８と、左側雌嵌合接続部５１と、右側雌嵌合接続部５２と、右側雄嵌合接続部５９とが、基底部１２の延びる方向に対して左右に略直交するように一体に延びて構成される。
【００３１】
上記のように構成される圧着端子１０´は、以下のようにして圧着端子１０´と同一の形状を有する相手端子を嵌合接続される。相手端子の左側雄嵌合接続部もしくは右側雄嵌合接続部を圧着端子１０´の左側雌嵌合接続部５１の左端側の開口５７から左右方向に挿入させると、相手端子の左側雄嵌合接続部もしくは右側雄嵌合接続部が（圧着端子１０´の左側雌嵌合接続部５１に挿入した方が）圧着端子１０´の左側雌嵌合接続部５１の付勢部５６に当接し、この付勢部５６の左側雌嵌合接続部５１の内壁面方向への弾性的な付勢により付勢部５６と左側雌嵌合接続部５１の内壁面とにより挟持される。
【００３２】
また、上記の相手端子とは別の相手端子（この相手端子も圧着端子１０´と同一の形状を有する）の左側雄嵌合接続部もしくは右側雄嵌合接続部を圧着端子１０´の右側雌嵌合接続部５２の右端側の開口５７から左右方向に挿入させると、相手端子の左側雄嵌合接続部もしくは右側雄嵌合接続部が（圧着端子１０´の右側雌嵌合接続部５２に挿入した方が）右側雌嵌合接続部５２の嵌合空間５５内で挟持される。このようにして、圧着端子１０´に対して左右両側に複数の相手端子を嵌合接続させて、複数の圧着端子を左右に連結させることが可能である。
【００３３】
ここで、本発明において達成される効果をまとめると下記のようになる。すなわち、本発明に関する接続端子によれば、２個の接続端子における一方の接続端子の雌嵌合接続部の平板状の部材に重なる他方の接続端子の雄嵌合接続部を弾性的な付勢により挟持した状態でこれら２個の接続端子が接続される。このとき、一方の接続端子に圧着された一方のケーブルおよび他方の接続端子に圧着された他方のケーブルが互いに接続されたこれら２個の接続端子を介して導通される。このような構成の接続端子を端部に圧着したケーブルを複数用意すれば、例えば、主ケーブルに対して一対の分岐ケーブルを分岐接続させたい所望の位置において、分岐ケーブルを圧着した接続端子の雄嵌合接続部を主ケーブルを圧着した接続端子の雌嵌合接続部によって挟持させるといった簡単な作業だけで、主ケーブルと一対の分岐ケーブルとをこれらの接続端子を介して分岐接続させることが可能である。このため、ケーブルの絶縁被覆を取り除いて導体同士を溶接するといった煩わしい作業を行うことなく簡便に分岐接続させることができる。
【００３４】
また、接続端子同士を直列に複数連結させることも可能であり、連結された複数の他方の接続端子のうちの少なくとも１つの他方の接続端子と一方の接続端子とを上記のようにして嵌合接続させるようにすれば、一方の接続端子に圧着された１本の主ケーブルに対して他方の接続端子に圧着された複数の分岐ケーブルを蛸足状に分岐接続させることが可能である。そして、このような多数の分岐ケーブルの分岐接続は接続端子同士を嵌合接続させるだけでよいために短時間ですることができて、煩わしい作業工程を省くことが可能である。
【図面の簡単な説明】
【００３５】
【図１】本発明に係る接続端子の一例である圧着端子の斜視図である。
【図２】上記圧着端子を示す図で、（ａ）は平面図で、（ｂ）は背面図で、（ｃ）は正面図で、（ｄ）は右側面図である。
【図３】上記圧着端子の底面図である。
【図４】上記圧着端子を複数接続することで、主ケーブルに対して複数の分岐ケーブルが分岐接続された状態を示す斜視図である。
【図５】上記圧着端子の第２の実施の形態を示す図で、（ａ）は平面図で、（ｂ）は背面図で、（ｃ）は正面図で、（ｄ）は右側面図である。
【図６】自動車等に配設されるワイヤハーネスの一例として自動車のインストルメントパネルの内部の電線を示す斜視図である。
【符号の説明】
【００３６】
１０  圧着端子（一方の接続端子）
１２  基底部（ケーブル接続部）
１３  芯線圧着片（ケーブル接続部）
１４  被覆圧着片（ケーブル接続部）
２０  コンタクト部（端子接続部）
２１  左側雌嵌合接続部
２２  第１の挟持部（左側雌嵌合接続部、右側雌嵌合接続部、挟持片）
２２ａ  挟持面
２３  第２の挟持部（左側雌嵌合接続部、挟持片）
２３ａ  挟持面
２４  左側雌基板部（左側雌嵌合接続部）
２５  右側雌嵌合接続部
２６  第３の挟持部（右側雌嵌合接続部、挟持片）
２７  右側雌基板部（右側雌嵌合接続部）
２８  左側雄嵌合接続部
２９  右側雄嵌合接続部
３０  圧着端子（第１の接続端子）
３２  第１の挟持部（左側雌嵌合接続部、右側雌嵌合接続部）
３３  第２の挟持部（左側雌嵌合接続部）
３４  左側雌基板部
３６  第３の挟持部（右側雌嵌合接続部）
３７  右側雌基板部
３８  左側雄嵌合接続部
３９  右側雄嵌合接続部
４０  圧着端子
４２  第１の挟持部（左側雌嵌合接続部、右側雌嵌合接続部）
４２ａ  挟持面
４３  第２の挟持部（左側雌嵌合接続部）
４３ａ  挟持面
４４  左側雌基板部
４６  第３の挟持部（右側雌嵌合接続部）
４７  右側雌基板部
４８  左側雄嵌合接続部
４９  右側雄嵌合接続部
５０  コンタクト部（端子接続部）
５１  左側雌嵌合接続部
５２  右側雌嵌合接続部
５６  付勢部
５８  左側雄嵌合接続部
５９  右側雄嵌合接続部
１００  分岐ケーブル
３００  主ケーブル
４００  分岐ケーブル
【図１】
2007087809.tif 000003
【図２】
2007087809.tif 000004
【図３】
2007087809.tif 000005
【図４】
2007087809.tif 000006
【図５】
2007087809.tif 000007
【図６】
2007087809.tif 000008